(57)【要約】セルラ通信システムにおいて、ユーザ機器ユニット（ＵＲ）［３０］がドリフト無線ネットワーク制御局（ＤＲＮＣ）［２６２］によって制御されるセルにおいてＦＡＣＨ共通転送チャネルを用いることを求めるなら、ドリフト無線ネットワーク制御局（ＤＲＮＣ）は、そのドリフト無線ネットワーク制御局（ＤＲＮＣ）が共通転送チャネル資源初期化手順の開始を必要とするかどうかをサービスを行う無線ネットワーク制御局（ＳＲＮＣ）［２６１］に対して信号で伝える。もし、その信号の発信がドリフト無線ネットワーク制御局（ＤＲＮＣ）が共通転送チャネル資源初期化手順の開始を必要としないことを示すならば、サービスを行う無線ネットワーク制御局（ＳＲＮＣ）はそのセルのユーザ機器ユニット（ＵＥ）に関する共通転送チャネル資源初期化手順を開始するかどうかの独自の判断をもつ。
2004523170.tif 000002
【特許請求の範囲】
【請求項１】
無線アクセスネットワーク（２４）を有しているサービスを行う無線ネットワーク制御局（２６1）により制御されるユーザ機器ユニット（３０）との無線接続をサポートする、セルラ通信システム（１０）の前記無線アクセスネットワークにおいて使用される方法であって、前記方法は、
（１）ドリフト無線ネットワーク制御局（２６2）は、前記サービスを行う無線ネットワーク制御局に対して、前記ユーザ機器ユニットが前記ドリフト無線ネットワーク制御局によって制御されるセルにおいてＦＡＣＨ共通転送チャネルの使用を求めるとき、前記ドリフト無線ネットワーク制御局が共通転送チャネル資源初期化手順の開始を必要とするかどうかの信号を発信し、
（２）もし、前記（１）での信号の発信が、前記ドリフト無線ネットワーク制御局が前記共通転送チャネル資源初期化手順の開始を必要としないことを示すなら、前記セルにおける前記ユーザ機器ユニットに関して、前記共通転送チャネル資源初期化手順を実行しないことを特徴とする方法。
【請求項２】
さらに、前記ドリフト無線ネットワーク制御局と前記サービスを行う無線ネットワーク制御局との間で存在する信号メッセージを利用して、前記（１）の工程の信号の発信を実行することを特徴とする請求項１に記載の方法。
【請求項３】
さらに、前記ドリフト無線ネットワーク制御局から前記サービスを行う無線ネットワーク制御局に送信されるＲＮＳＡＰ  ＵＬ  シグナリング・トランスファー・メッセージを利用して、前記（１）の工程の信号の発信を実行することを特徴とする請求項２に記載の方法。
【請求項４】
さらに、前記ドリフト無線ネットワーク制御局は、前記ドリフト無線ネットワーク制御局が前記共通転送チャネル資源初期化手順の開始を必要とするかどうかを決定し、
前記決定は、前記ドリフト無線ネットワーク制御局によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項１に記載の方法。
【請求項５】
さらに、もし、前記サービスを行う無線ネットワーク制御局が、該サービスを行う無線ネットワーク制御局と前記ドリフト無線ネットワーク制御局（ＤＲＮＣ）との間のインタフェースにより、新しい転送ベアラが必要とされると判断するなら、前記サービスを行う無線ネットワーク制御局は、前記（１）の工程の信号の発信を実行するかどうかに係りなく、前記共通転送チャネル資源初期化手順を開始することを特徴とする請求項１に記載の方法。
【請求項６】
無線アクセスネットワーク（２４）を有しているサービスを行う無線ネットワーク制御局（２６1）により制御されるユーザ機器ユニット（３０）との無線接続をサポートする、セルラ通信システム（１０）の前記無線アクセスネットワークにおいて使用される方法であって、前記方法は、
（１）ドリフト無線ネットワーク制御局（２６2）は、前記サービスを行う無線ネットワーク制御局に対して、前記ユーザ機器ユニットが前記ドリフト無線ネットワーク制御局によって制御されるセルにおいてＦＡＣＨ共通転送チャネルの使用を求めるとき、前記ドリフト無線ネットワーク制御局が共通転送チャネル資源初期化手順の開始を必要とするかどうかの信号を発信し、
（２）もし、前記（１）での信号の発信が、前記ドリフト無線ネットワーク制御局が前記共通転送チャネル資源初期化手順の開始を必要としないことを示すなら、前記セルにおける前記ユーザ機器ユニットに関して、前記共通転送チャネル資源初期化手順を前記サービスを行う無線ネットワーク制御局の都合で随意的に実行しないことを特徴とする方法。
【請求項７】
さらに、前記ドリフト無線ネットワーク制御局と前記サービスを行う無線ネットワーク制御局との間で存在する信号メッセージを利用して、前記（１）の工程の信号の発信を実行することを特徴とする請求項６に記載の方法。
【請求項８】
さらに、前記ドリフト無線ネットワーク制御局から前記サービスを行う無線ネットワーク制御局に送信されるＲＮＳＡＰ  ＵＬ  シグナリング・トランスファー・メッセージを利用して、前記（１）の工程の信号の発信を実行することを特徴とする請求項７に記載の方法。
【請求項９】
さらに、前記ドリフト無線ネットワーク制御局は、前記ドリフト無線ネットワーク制御局が前記共通転送チャネル資源初期化手順の開始を必要とするかどうかを決定し、
前記決定は、前記ドリフト無線ネットワーク制御局によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項６に記載の方法。
【請求項１０】
さらに、もし、前記サービスを行う無線ネットワーク制御局が、該サービスを行う無線ネットワーク制御局と前記ドリフト無線ネットワーク制御局との間のインタフェースにより新しい転送ベアラが必要とされると判断するなら、前記サービスを行う無線ネットワーク制御局は、前記（１）の工程の信号の発信を実行するかどうかに係りなく、前記共通転送チャネル資源初期化手順を開始することを特徴とする請求項６に記載の方法。
【請求項１１】
サービスを行う無線ネットワーク制御局（２６1）により制御されるユーザ機器ユニット（３０）との無線接続をサポートするセルラ通信システム（１０）の前記無線ネットワーク制御局に含まれる無線アクセスネットワーク（２４）であって、
前記無線アクセスネットワークを有するドリフト無線ネットワーク制御局（２６2）を有し、
前記ユーザ機器ユニットが前記ドリフト無線ネットワーク制御局によって制御されるセルにおいてＦＡＣＨ共通転送チャネルの使用を求めるとき、前記ドリフト無線ネットワーク制御局は、前記サービスを行う無線ネットワーク制御局に対して、共通転送チャネル資源初期化手順の開始を必要とするかどうかの信号を発信し、
もし、前記ドリフト無線ネットワーク制御局が前記共通転送チャネル資源初期化手順の開始を必要としないなら、前記サービスを行う無線ネットワーク制御局は、前記セルにおける前記ユーザ機器ユニットに関して、前記共通転送チャネル資源初期化手順を開始しないことを特徴とする無線アクセスネットワーク。
【請求項１２】
さらに、前記ドリフト無線ネットワーク制御局と前記サービスを行う無線ネットワーク制御局との間で存在する信号メッセージは、前記ドリフト無線ネットワーク制御局が前記共通転送チャネル資源初期化手順の開始を必要とするかどうかの信号の発信を行うことを特徴とする請求項１１に記載の無線アクセスネットワーク。
【請求項１３】
前記存在する信号メッセージは、前記ドリフト無線ネットワーク制御局から前記サービスを行う無線ネットワーク制御局に送信されるＲＮＳＡＰ  ＵＬ  シグナリング・トランスファー・メッセージであることを特徴とする請求項１１に記載の無線アクセスネットワーク。
【請求項１４】
前記ドリフト無線ネットワーク制御局は、前記ドリフト無線ネットワーク制御局が前記共通転送チャネル資源初期化手順の開始を必要とするかどうかを決定し、
前記決定は、前記ドリフト無線ネットワーク制御局によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項１１に記載の無線アクセスネットワーク。
【請求項１５】
もし、前記サービスを行う無線ネットワーク制御局が、該サービスを行う無線ネットワーク制御局と前記ドリフト無線ネットワーク制御局との間のインタフェースにより、新しい転送ベアラが必要とされると判断するなら、前記サービスを行う無線ネットワーク制御局は、前記（１）の工程の信号の発信を実行するかどうかに係りなく、前記共通転送チャネル資源初期化手順を開始することを特徴とする請求項１１に記載の無線アクセスネットワーク。
【請求項１６】
サービスを行う無線ネットワーク制御局（２６1）により制御されるユーザ機器ユニット（３０）との無線接続をサポートする、セルラ通信システム（１０）の前記無線ネットワーク制御局に含まれる無線アクセスネットワーク（２４）であって、
前記無線アクセスネットワークを有するドリフト無線ネットワーク制御局（２６2）を有し、
前記ユーザ機器ユニットが前記ドリフト無線ネットワーク制御局によって制御されるセルにおいてＦＡＣＨ共通転送チャネルの使用を求めるとき、前記ドリフト無線ネットワーク制御局は、前記サービスを行う無線ネットワーク制御局に対して、共通転送チャネル資源初期化手順の開始を必要とするかどうかの信号を発信し、
もし、前記ドリフト無線ネットワーク制御局が前記共通転送チャネル資源初期化手順の開始を必要としないなら、前記セルにおける前記ユーザ機器ユニットに関して、前記サービスを行う無線ネットワーク制御局の都合に従って、前記サービスを行う無線ネットワーク制御局は、前記共通転送チャネル資源初期化手順を随意的に実行しないことを特徴とする無線アクセスネットワーク。
【請求項１７】
さらに、前記ドリフト無線ネットワーク制御局が前記共通転送チャネル資源初期化手順の開始を必要とするかどうかの信号の発信を行うための前記ドリフト無線ネットワーク制御局と前記サービスを行う無線ネットワーク制御局との間で存在する信号メッセージで特徴づけられる請求項１６に記載の無線アクセスネットワーク。
【請求項１８】
前記存在する信号メッセージは、前記ドリフト無線ネットワーク制御局から前記サービスを行う無線ネットワーク制御局に送信されるＲＮＳＡＰ  ＵＬ  シグナリング・トランスファー・メッセージであることを特徴とする請求項１７に記載の無線アクセスネットワーク。
【請求項１９】
前記ドリフト無線ネットワーク制御局は、前記ドリフト無線ネットワーク制御局が前記共通転送チャネル資源初期化手順の開始を必要とするかどうかを決定し、
前記決定は、前記ドリフト無線ネットワーク制御局によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項１６に記載の無線アクセスネットワーク。
【請求項２０】
もし、前記サービスを行う無線ネットワーク制御局が、該サービスを行う無線ネットワーク制御局と前記ドリフト無線ネットワーク制御局との間のインタフェースにより、新しい転送ベアラが必要とされると判断するなら、前記サービスを行う無線ネットワーク制御局は、前記（１）の工程の信号の発信を実行するかどうかに係りなく、前記共通転送チャネル資源初期化手順を開始することを特徴とする請求項１６に記載の無線アクセスネットワーク。
【発明の詳細な説明】
【技術分野】
【０００１】
本発明は無線通信に関し、特に、ユーザ機器ユニットがドリフト無線ネットワーク制御局（ＤＲＮＣ）によって制御される新しいセルへと移動するとき、サービスを行っている無線ネットワーク制御局（ＳＲＮＣ）によって制御されるユーザ機器ユニットとの無線接続に関し、無線アクセスネットワークにおける共通転送チャネルをサポートするのに必要な信号発信に関するものである。
【背景技術】
【０００２】
典型的なセルラ無線システムにおいて、移動体ユーザ機器ユニット（ＵＥ）は無線アクセスネットワーク（ＲＡＮ）を介して１つ以上のコアネットワークに通信する。そのユーザ機器ユニット（ＵＥ）は移動電話（“セルラ”電話）や移動端末を備えたラップトップのような移動局でも良く、従って、音声とデータとの内少なくともいずれかを無線アクセスネットワークを用いて通信する、例えば、携帯型、ポケット型、手持ち型、コンピュータ内蔵型、或いは車輌積載型の移動体機器でも良い。
【０００３】
無線アクセスネットワーク（ＲＡＮ）は複数のセル領域に分割された地理的な領域をカバーし、各セル領域は基地局によってサービスを受ける。セルは地理的な領域であり、そこには無線カバレッジが基地局のある場所の無線基地局装置によって備えられる。各セルはユニークなアイデンティティにより識別され、それがセルにおいて同報される。基地局は空中インタフェース（例えば、無線周波数）により基地局の範囲内でユーザ機器ユニット（ＵＥ）と通信を行なう。無線アクセスネットワークでは、いくつかの基地局は通常は無線ネットワーク制御局（ＲＮＣ）と（例えば、ランドライン或いはマイクロ波により）接続されている。また、無線ネットワーク制御局は、しばしば基地局制御局（ＢＳＣ）とも呼ばれ、そこに接続されている複数の基地局の種々のアクティビティを監視し調整する。無線ネットワーク制御局は通常は１つ以上のコアネットワークに接続されている。
【０００４】
無線アクセスネットワークの一例は、世界規模の移動体通信サービス（ＵＭＴＳ）の地上無線アクセス網（ＵＴＲＡＮ）である。ＵＴＲＡＮは、いくつかの点について欧州で開発された汎欧州デジタル移動電話方式（ＧＳＭ）として知られる無線アクセス技術上に構築した第３世代のシステムである。ＵＴＲＡＮは本質的には、広帯域符号分割多元接続（Ｗ−ＣＤＭＡ）システムである。
【０００５】
当業者であれば認識するように、Ｗ−ＣＤＭＡ技術においては、共通の周波数バンドによりユーザ機器ユニット（ＵＥ）と複数の基地局との間の同時通信が可能になる。共通の周波数バンドを占有している信号は、高速の擬似ランダム（ＰＮ）符号の使用に基づくスペクトラム拡散ＣＤＭＡ波形の特質により受信局において判別される。これらの高速ＰＮコードが用いられて、基地局とユーザ機器ユニット（ＵＥ）から送信される信号を変調する。異なるＰＮコード（或いは、時間的なＰＮコードのオフセット）を用いる送信局では、受信局で別々に復調される信号を生成する。また、高速のＰＮ復調により受信局は、送信信号のいくつかの明瞭に異なる伝播経路を結合することにより、単一の送信局からの受信信号をうまく生成することができる。それ故に、ＣＤＭＡでは、ユーザ機器ユニット（ＵＥ）は、１つのセルから別のセルへの接続のハンドオフがなされるときに、周波数を切り換える必要はない。その結果、宛先のセルは、発信元のセルが接続のサービスを続けると同時に、ユーザ機器ユニット（ＵＥ）への接続をサポートできる。ユーザ機器ユニット（ＵＥ）は、ハンドオーバ期間には常に少なくとも１つのセルを通して通信を行なっているので、呼に対する中断はない。それ故に、これを“ソフトハンドオーバ”という。ハードハンドオーバとは対照的に、ソフトハンドオーバは“切断前接続（make-before-break）”切り換え動作である。
【０００６】
世界規模の移動体通信サービス（ＵＭＴＳ）の地上無線アクセス網（ＵＴＲＡＮ）は回路交換とパケット交換の両方の接続を取り込んでいる。この点に関して、ＵＴＲＡＮにおいては、回路交換接続は移動交換センタ（ＭＳＣ）と通信を行なう無線ネットワーク制御局（ＲＮＣ）を関与させる。また、ＭＳＣは、（例えば）公衆交換電話ネットワーク（ＰＳＴＮ）と統合型サービスデジタルネットワーク（ＩＳＤＮ）との少なくとものいずれかでも良い接続指向の外部コアネットワークに接続される。これに対して、ＵＴＲＡＮにおいて、パケット交換接続はサービスを行なっているＧＰＲＳサポートノード（ＳＧＳＮ）との通信を行なう無線ネットワーク制御局を関与させる。また、ＳＧＳＮは、バックボーンネットワークとゲートウェイＧＰＲＳサポートノード（ＧＧＳＮ）とを通じて、パケット交換ネットワーク（例えば、インターネット、Ｘ．２５外部ネットワーク）に接続される。
【０００７】
ＵＴＲＡＮには、関心のあるいくつかのインタフェースがある。無線ネットワーク制御局（ＲＮＣ）とコアネットワークとの間のインタフェースは、“Ｉｕ”インタフェースと名づけられる。無線ネットワーク制御局（ＲＮＣ）とその基地局（ＢＳ）との間のインタフェースは、“Ｉｕｂ”インタフェースと名づけられる。ユーザ機器ユニット（ＵＥ）と基地局との間のインタフェースは、“空中インタフェース”或いは“無線インタフェース”或いは“Ｕｕインタフェース”として知られている。幾つかの例では、接続にはサービスを行なう或いはソースＲＮＣ（ＳＲＮＣ）とターゲット或いはドリフトＲＮＣ（ＤＲＮＣ）の両方を関与させ、ＳＲＮＣでは無線接続を制御するがその無線接続の１つ以上の無線リンクがＤＲＮＣによって扱われる。ＲＮＣ間転送リンクは、ソースＲＮＣとドリフト或いはターゲットＲＮＣとの間での制御及びデータ信号の転送のために用いられ、例えば、以下の特許文献１に記載されているようなダイレクトリンク或いはロジカルリンクでも良い。無線ネットワーク制御局間（例えば、サービスを行なうＲＮＣ（ＳＲＮＣ）とドリフトＲＮＣ（ＤＲＮＣ）との間）でのインタフェースは、“Ｉｕｒ”インタフェースと名づけられる。
【特許文献１】
国際出願番号ＰＣＴ／ＵＳ９４／１２４１９（国際公開公報ＷＯ９５／１５６６５）
【０００８】
無線ネットワーク制御局（ＲＮＣ）はＵＴＲＡＮを制御する。その制御の役割を成し遂げるときに、ＲＮＣはＵＴＲＡＮの資源を管理する。ＲＮＣによって管理されるそのような資源は、（とりわけ）基地局により送信されるダウンリンク（ＤＬ）電力、基地局により感知されるアップリンク（ＵＬ）の干渉、及び基地局に位置するハードウェアを含んでいる。
【０００９】
当業者は、あるＲＡＮ−ＵＥ接続に関して、ＲＮＣはサービスを行なうＲＮＣ（ＳＲＮＣ）の役割或いはドリフトＲＮＣ（ＤＲＮＣ）の役割をもつことができることを認識するであろう。もし、ＲＮＣがサービスを行なうＲＮＣ（ＳＲＮＣ）であれば、そのＲＮＣはユーザ機器ユニット（ＵＥ）との無線接続を担当し、例えば、無線アクセスネットワーク（ＲＡＮ）内での無線接続を完全に制御する。これに対して、もしそのＲＮＣがドリフトＲＮＣ（ＤＲＮＣ）であれば、それはユーザ機器ユニット（ＵＥ）との無線接続に必要な無線資源（ドリフトＲＮＣ（ＤＲＮＣ）により制御されるセル内で）を供給することによりサービスを行なうＲＮＣ（ＳＲＮＣ）をサポートする。ドリフト無線ネットワーク制御局（ＤＲＮＣ）とドリフト無線ネットワーク制御局（ＤＲＮＣ）によるＩｕｂインタフェースにより制御される基地局とを含むシステムは、ここでは、ＤＲＮＣシステム或いはＤＲＮＳとして参照される。
【００１０】
無線アクセスネットワーク（ＲＡＮ）とユーザ機器ユニット（ＵＥ）との間の無線接続が確立されるとき、無線アクセスネットワーク（ＲＡＮ）は、どのＲＮＣがサービスを行うＲＮＣ（ＳＲＮＣ）となるのか、そして、必要であれば、どのＲＮＣがドリフトＲＮＣ（ＤＲＮＣ）となるのかを決定する。通常、無線接続が最初に確立されるとき、ユーザ機器ユニット（ＵＥ）が位置するセルを制御するＲＮＣが初期的にサービスを行うＲＮＣ（ＳＲＮＣ）として選択される。ユーザ機器ユニット（ＵＥ）が移動するとき、たとえ、ユーザ機器ユニット（ＵＥ）が新しいセル、おそらくは別のＲＮＣによって制御される新しいセルにまでも移動するとしても、無線接続は維持される。その別のＲＮＣはＲＡＮ−ＵＥ接続に関してドリフトＲＮＣ（ＤＲＮＣ）となる。ＲＮＣは、Ｉｕｂインタフェースによりそれに接続される基地局に関して制御を行うＲＮＣ（ＣＲＮＣ）であると言われる。このＣＲＮＣの役割はＵＥに特定のものではない。とりわけ、ＣＲＮＣは、Ｉｕｂインタフェースによりそれに接続される基地局におけるセルについての無線資源管理を扱う責務を担っている。
【００１１】
世界規模の移動体通信サービス（ＵＭＴＳ）の地上無線アクセス網（ＵＴＲＡＮ）において、無線インタフェースには、共通転送チャネルと専用転送チャネルとがある。共通転送チャネルは、アップリンク・ランダム・アクセス・チャネル（ＲＡＣＨ）、ダウンリンク・フォワード・アクセス・チャネル（ＦＡＣＨ）、アップリンク共通パケットチャネル（ＣＰＣＨ）、アップリンク共有チャネル（ＵＳＣＨ）、及びダウンリンク共有チャネル（ＤＳＣＨ）である。専用転送チャネルは専用チャネル（ＤＣＨ）である。ＵＭＴＳにおける転送チャネルは以下の仕様書の内１つ以上に記載されている（その全てはここで参照によってその全体が組み込まれる）。
【非特許文献１】
第３世代パートナーシッププロジェクト（３ＧＰＰ）技術仕様２５．２１１，ｖ．３．５．０（Third Generation Partnership Project (3GPP) Technical Specification 25.211, v.3.5.0）“物理チャネルと転送チャネルの物理チャネルへのマッピング（ＦＤＤ）（Physical Channels and Mapping of Transport Channels Onto Physical Channels (FDD)）”
【非特許文献２】
第３世代パートナーシッププロジェクト（３ＧＰＰ）技術仕様２５．２２１，ｖ．３．５．０（Third Generation Partnership Project (3GPP) Technical Specification 25.211, v.3.5.0）“物理チャネルと転送チャネルの物理チャネルへのマッピング（ＴＤＤ）（Physical Channels and Mapping of Transport Channels Onto Physical Channels (TDD)）”
【非特許文献３】
第３世代パートナーシッププロジェクト（３ＧＰＰ）技術仕様２５．３３１，ｖ．３．５．０（Third Generation Partnership Project (3GPP) Technical Specification 25.331, v.3.5.0）“ＲＲＣプロトコル仕様（ＲＲＣ protocol specification）”
【００１２】
ダウンリンクフォワードアクセスチャネル（ＦＡＣＨ）はデータを多くの異なるユーザ機器ユニット（ＵＥ）に転送するのに用いられる共通転送チャネルである。ダウンリンクフォワードアクセスチャネル（ＦＡＣＨ）の多重化は、各ＦＡＣＨデータ送信においてＵＥアイデンティティを含めることにより達成される。ＣＲＮＣ［ユーザ機器ユニット（ＵＥ）に対するドリフト無線ネットワーク制御局（ＤＲＮＣ）としての役割を現在のところ仮定している］は、ダウンリンクフォワードアクセスチャネル（ＦＡＣＨ）で、異なるユーザ機器ユニット（ＵＥ）についてサービスを行う無線ネットワーク制御局（ＳＲＮＣ）から受信されるデータをスケジュールする。
【００１３】
ダウンリンクフォワードアクセスチャネル（ＦＡＣＨ）は、２次的共通制御チャネル（Ｓ−ＣＣＰＣＨ）として知られる物理チャネルにマップされる。各２次的共通制御チャネル（Ｓ−ＣＣＰＣＨ）は、１つ以上のダウンリンクフォワードアクセスチャネル（ＦＡＣＨ）を搬送しても良い。転送チャネルの物理チャネルへのマッピングの詳細は、上にリストした３ＧＰＰ仕様の最初の２つで提供されている。
【００１４】
ダウンリンクフォワードアクセスチャネル（ＦＡＣＨ）で幾つかのユーザ機器ユニット（ＵＥｓ）に関係した情報を転送するのに加えて、さらなる多重化レベルが、ダウンリンクフォワードアクセスチャネル（ＦＡＣＨ）で１つのユーザ機器ユニット（ＵＥ）についての多数の論理チャネルを転送することにより用いられる。そのような論理チャネルの３つのタイプがある。第１のタイプは、ＣＲＮＣとユーザ機器ユニット（ＵＥ）との間に伸びている共通制御チャネル（ＣＣＣＨ）である。第２のタイプは、サービスを行う無線ネットワーク制御局（ＳＲＮＣ）とユーザ機器ユニット（ＵＥ）との間に伸びている専用制御チャネル（ＤＣＣＨ）である。第３のタイプは、サービスを行う無線ネットワーク制御局（ＳＲＮＣ）とユーザ機器ユニット（ＵＥ）との間に伸びている専用転送チャネル（ＤＴＣＨ）である。
【００１５】
共通制御チャネル（ＣＣＣＨ）はＣＲＮＣとユーザ機器ユニット（ＵＥ）との間に伸びている。そのようなものとして、Ｉｕｒインタフェースによる共通制御チャネル（ＣＣＣＨ）の直接転送はない。しかしながら、ＣＲＮＣは共通制御チャネル（ＣＣＣＨ）で受信されたある情報をサービスを行う無線ネットワーク制御局（ＳＲＮＣ）に対して中継することを決定するかもしれない。サービスを行う無線ネットワーク制御局（ＳＲＮＣ）はまた、ＣＲＮＣに対して共通制御チャネル（ＣＣＣＨ）によりある情報を送信するように依頼するかもしれない。Ｉｕｒインタフェースによるこの情報の転送は、無線・ネットワーク・サブシステム・アプリケーション・プロトコル（ＲＮＳＡＰ：Radio Network Subsystem Application Protocol）によって扱われる。
【００１６】
専用転送チャネル（ＤＴＣＨ）と専用制御チャネル（ＤＣＣＨ）の論理チャネルで送受信されるデータは、Ｉｕｒインタフェースによる所謂“転送ベアラ”で転送される。１つの転送ベアラが用いられて、多数のユーザ機器ユニット（ＵＥｓ）のためにダウンリンクフォワードアクセスチャネル（ＦＡＣＨ）の転送チャネルで送受信されるＤＴＣＨ／ＤＣＣＨ情報を転送する。
【００１７】
Ｉｕｒインタフェースは２つのプレーンをもっている。即ち、制御プレーン（ＣＰ）とユーザプレーン（ＵＰ）である。制御プレーンにおいて、サービスを行う無線ネットワーク制御局（ＳＲＮＣ）とドリフト無線ネットワーク制御局（ＤＲＮＣ）とは、無線・ネットワーク・サブシステム・アプリケーション・プロトコル（ＲＮＳＡＰ）を用いて通信を行う。無線・ネットワーク・サブシステム・アプリケーション・プロトコル（ＲＮＳＡＰ）は、以下の文献に記載されているように、信頼性のあるシングナリングベアラにより転送される。
【非特許文献４】
第３世代パートナーシッププロジェクト（３ＧＰＰ）技術仕様  ３Ｇ  ＴＳ  ２５．４２３，ｖ．３．４．０（Third Generation Partnership Project (3GPP) Technical Specification 3G TS 25.423, v.3.4.0）“ＵＴＲＡＮ  ＩｕｒインタフェースのＲＮＳＡＰシグナリング）（UTRAN Iur Interface RNSAP Signaling）”
【００１８】
無線インタフェースで送受信されるデータの転送は、ユーザプレーン（ＵＰ）で発生する。そのユーザプレーン（ＵＰ）において、データは信頼性のない転送ベアラにより転送される。ＦＡＣＨ転送チャネルに関し、多数のユーザ機器ユニット（ＵＥｓ）に関係した情報は、以下の文献に記載されているように１つの転送ベアラに多重化される。
【非特許文献５】
第３世代パートナーシッププロジェクト（３ＧＰＰ）技術仕様  ３Ｇ  ＴＳ  ２５．４２５，ｖ．３．３．０（Third Generation Partnership Project (3GPP) Technical Specification 3G TS 25.425, v.3.3.0）“ＣＣＨデータストリームのためのＵＴＲＡＮ  Ｉｕｒインタフェースのユーザ・プレーン・プロトコル）（UTRAN Iur Interface User Plane Protocols for CCH Data Streams）”
【００１９】
サービスを行う無線ネットワーク制御局（ＳＲＮＣ）は、そのサービスを行う無線ネットワーク制御局（ＳＲＮＣ）とドリフト無線ネットワーク制御局（ＤＲＮＣ）との間での必要な転送ベアラを確立することを担当する。例えば、専用制御チャネル（ＤＣＣＨ）／専用転送チャネル（ＤＴＣＨ）と新しいユーザ機器ユニット（ＵＥ）との通信がＦＡＣＨによって確立される必要があり、存在する転送ベアラのいずれかで不十分な転送能力しか利用可能ではないとき、サービスを行う無線ネットワーク制御局（ＳＲＮＣ）は、新しい転送ベアラの確立を開始する。
【００２０】
ユーザ機器ユニット（ＵＥ）がＲＡＣＨ／ＦＡＣＨ共通チャネル（例えば、ＵＥ  ＲＲＣ状態はＣＥＬＬ＿ＦＡＣＨ）を用いるとき、新しいセルに入るときにそのユーザ機器ユニット（ＵＥ）から送信される第１のメッセージはＣＥＬＬ−ＵＰＤＡＴＥ  ＲＲＣメッセージである。ＣＥＬＬ−ＵＰＤＡＴＥ  ＲＲＣメッセージは、ＵＴＲＡＮにユーザ機器ユニット（ＵＥ）の新しい位置を知らせるためのある種の登録メッセージとしての役割を果たす。そのとき、ＵＴＲＡＮはこのユーザ機器ユニット（ＵＥ）の扱い方を決定する。もし、ＵＴＲＡＮがそのユーザ機器ユニット（ＵＥ）が共通チャネル上に留まることになることを決定するなら、ユーザ機器ユニット（ＵＥ）は共通チャネル上に留まるように依頼されるであろう。そのとき、ユーザ機器ユニット（ＵＥ）はいずれかのダウンリンク送信についてＦＡＣＨを監視し、アップリンク・アクセスについてのあるＲＡＣＨを用いる。共通チャネルを用いるユーザ機器ユニット（ＵＥ）の場合は、従って、専用チャネルを用いるユーザ機器ユニット（ＵＥ）の場合とは異なる。なぜなら、専用チャネルの使用は、ユーザ機器ユニット（ＵＥ）との新しい無線リンク或いは接続の脚が新しいセルを介して確立されるソフトハンドオーバの状態を設定するかもしれないからである。
【００２１】
ユーザ機器ユニット（ＵＥ）はＦＡＣＨ転送チャネルを用いるとき、これまで、サービスを行う無線ネットワーク制御局（ＳＲＮＣ）は、ユーザ機器ユニット（ＵＥ）がＤＲＮＳにおいて１つのセルから他のセルへと移動し、そしてユーザ機器ユニット（ＵＥ）が新しいセルにおける共通チャネルを用いることになる毎に、ＲＮＳＡＰ共通転送チャネル資源初期化手順として知られる手順を開始する。共通転送チャネル資源初期化手順はＲＮＳＡＰ手順であり、サービスを行う無線ネットワーク制御局（ＳＲＮＣ）とドリフト無線ネットワーク制御局（ＤＲＮＣ）との間で送信されるメッセージを有するそのサービスを行う無線ネットワーク制御局（ＳＲＮＣ）によって開始される。共通転送チャネル資源初期化手順の実行は、ドリフト無線ネットワーク制御局（ＤＲＮＣ）があるアクティビティを実行し、サービスを行う無線ネットワーク制御局（ＳＲＮＣ）に、例えば、サポートされる転送ブロック（ＴＢ）サイズに関する情報とフロー制御情報を提供できることが必要とされる。加えて、共通転送チャネル資源初期化手順は、サービスを行う無線ネットワーク制御局（ＳＲＮＣ）がＩｕｒインタフェースによる別の転送ベアラが要求されるべきであることを決定するときに実行される。これら夫々については簡単に次に検討する。
【００２２】
各ＵＴＲＡＮセルにおいて、ＦＡＣＨ転送チャネルにより転送されるデータはある長さ制限に準拠する必要がある。これらの長さ制限はセルごとに変化しても良く、専用制御チャネル（ＤＣＣＨ）／専用転送チャネル（ＤＴＣＨ）データの分割の仕方を決定するサービスを行う無線ネットワーク制御局（ＳＲＮＣ）により用いられる。ユーザ機器ユニット（ＵＥ）が１つのセルから別のセルへと移動するとき、サービスを行う無線ネットワーク制御局（ＳＲＮＣ）は新しい適用可能な長さ制限についての情報が備えられる必要がある。この情報はＲＮＳＡＰ共通転送チャネル資源初期化手順においてＣＲＮＣによって提供される。
【００２３】
フロー制御に関して、ドリフト無線ネットワーク制御局（ＤＲＮＣ）としての役割において、ＣＲＮＣはサービスを行う無線ネットワーク制御局（ＳＲＮＣ）に数多くの“クレジット（credit）”を提供する。これらのクレジットはサービスを行う無線ネットワーク制御局（ＳＲＮＣ）がどのくらい多くのデータをＣＲＮＣに送信することが許されているのかを示す。もし、ＳＲＮＣに残りのクレジットがないなら、それがさらなるデータをＣＲＮＣに送信できる前に、ＣＲＮＣから受信される新しいクレジットを待ち合わせなければならない。従って、クレジットの機構はＣＲＮＣに対して、あるユーザ機器ユニット（ＵＥ）についてあるＳＲＮＣから受信するであろうデータ量を制御するための手段を提供する。ユーザ機器ユニット（ＵＥ）が１つのセルから他のセルへと移動するときに、負荷状態は変化するかもしれない。そのような場合、クレジット機構への現在具体化された解決策は常にリスタートである。このことは、サービスを行う無線ネットワーク制御局（ＳＲＮＣ）が、新しいセルにおいて送信を開始できる前に、ＣＲＮＣからの新しいクレジットを取得しなければならないことを意味する。新しいセルに対して適用可能なクレジットは、ＣＲＮＣにより、ＲＮＳＡＰ共通転送チャネル資源初期化手順においてサービスを行う無線ネットワーク制御局（ＳＲＮＣ）に供給される。
【発明の開示】
【発明が解決しようとする課題】
【００２４】
上述のように、それは、新しい転送ベアラがＩｕｒインタフェースによって確立されるべきであるかどうかを決定するサービスを行う無線ネットワーク制御局（ＳＲＮＣ）である。もし、そのサービスを行う無線ネットワーク制御局（ＳＲＮＣ）が新しい転送ベアラが確立されるべきであることを決定するなら、ＲＮＳＡＰ共通転送チャネル資源初期化手順はＳＲＮＣにそのような確立を可能にする関連のあるＤＲＮＣに関係した情報を提供する。
【００２５】
その共通転送チャネル資源初期化手順の実行は、ユーザ機器ユニット（ＵＥ）がＤＲＮＳの１つのセルからそのＤＲＮＳの別のセルへと移動する状態を扱うのに必要とされるＩｕｒシグナリングが本質的に半分の割合を占めている。
【００２６】
必要なことは、そしてそれ故に、本発明の目的は、セル変更がＤＲＮＳにおいて発生するときのＩｕｒシグナリングを減少させる技術である。
【課題を解決するための手段】
【００２７】
発  明  の  簡  単  な  要  約
セルラ通信システムにおいて、ユーザ機器ユニット（ＵＥ）がドリフト無線ネットワーク制御局（ＤＲＮＣ）によって制御されるセルにおいてＦＡＣＨ共通転送チャネルの使用を求めるとき、そのドリフト無線ネットワーク制御局（ＤＲＮＣ）は、サービスを行う無線ネットワーク制御局（ＳＲＮＣ）に対して、共通転送チャネル資源初期化手順の開始、それ故に実行を必要とするかどうかの信号を発信する。もし、その信号の発信が、そのドリフト無線ネットワーク制御局（ＤＲＮＣ）が共通転送チャネル資源初期化手順の開始を必要としないことを示すなら、そのサービスを行う無線ネットワーク制御局（ＳＲＮＣ）がそのセルにおけるユーザ機器ユニット（ＵＥ）に関して、共通転送チャネル資源初期化手順の開始をするかどうかを自己判断する。
【００２８】
都合の良いことに、１つの実施形の例では、共通転送チャネル資源初期化手順の開始或いは開始しないことに関連した信号の発信が、ドリフト無線ネットワーク制御局（ＤＲＮＣ）とサービスを行う無線ネットワーク制御局（ＳＲＮＣ）との間での現存するシグナリングメッセージ、例えば、ＲＮＳＡＰ  ＵＬ  シグナリング・トランスファー・メッセージを用いて実行される。
【００２９】
本発明の１つの側面からすれば、ドリフト無線ネットワーク制御局（ＤＲＮＣ）は、そのドリフト無線ネットワーク制御局（ＤＲＮＣ）が、そのドリフト無線ネットワーク制御局（ＤＲＮＣ）によって制御されるセルについて、（ａ）ＦＡＣＨ転送チャネルによって転送されるデータの長さ制限と、（ｂ）フロー制御条件との内の１つ以上のものについての違いに基づいて、共通転送チャネル資源初期化手順の開始を必要とするかどうかを決定する。
【００３０】
ドリフト無線ネットワーク制御局（ＤＲＮＣ）からの信号の発信に係りなく、サービスを行う無線ネットワーク制御局（ＳＲＮＣ）は自分の都合で、もし、そのサービスを行う無線ネットワーク制御局（ＳＲＮＣ）が、該サービスを行う無線ネットワーク制御局（ＳＲＮＣ）とドリフト無線ネットワーク制御局（ＤＲＮＣ）との間のインタフェースにより、新しい転送ベアラが必要とされると判断するなら、共通転送チャネル資源初期化手順を開始することができる。
【発明の効果】
【００３１】
従って、本発明は、ユーザ機器ユニット（ＵＥ）が、無線インタフェースによりＲＡＣＨ／ＲＡＣＨ共通転送チャネルを用いながら、ドリフト無線ネットワーク制御局（ＤＲＮＣ）の制御下にある１つのセルからそのドリフト無線ネットワーク制御局（ＤＲＮＣ）の制御下にある別のセルへと移動するとき、サービスを行う無線ネットワーク制御局とそのドリフト無線ネットワーク制御局との間で実行されるシグナリングを減少させる。本発明により、ユーザ機器ユニット（ＵＥ）がＦＡＣＨ（それはＲＡＣＨ或いはＣＰＣＨと結合して用いられる）を用いながらも、ドリフト無線ネットワーク制御局（ＤＲＮＣ）配下にある各セル変更において共通転送チャネル資源初期化手順を開始する必要を除去することにより、サービスを行う無線ネットワーク制御局（ＳＲＮＣ）とドリフト無線ネットワーク制御局（ＤＲＮＣ）との間でのシグナリング量をかなりの程度減少させる（最大で５０％ほど）ことが可能になる。
【発明を実施するための最良の形態】
【００３２】
本発明の前述などの目的と特徴と利点とは、添付図面において図示されるように好適な実施形態についての次のより具体的な記述から明らかになるであろう。その添付図面において、参照記号は種々の図面を通じて同じ部分に言及している。その図面は、必ずしもスケールをきちんを決める必要はなく、その代わりに本発明の原理を図解することに重きが置かれている。
【００３３】
次の記載では、限定ではなく説明を目的として、本発明の完全な理解を提供するために特定のアーキテクチュア、インタフェース、技術などの具体的な詳細が説明される。しかしながら、本発明がこれらの詳細な説明から離れた他の実施形態において実践されても良いことが当業者には明らかである。他の例では、公知の機器、回路、及び方法の詳細な説明は、不必要な詳細な説明により本発明の説明をあいまいなものとしないように省略される。
【００３４】
本発明は、図１に示される世界規模の移動体通信（ＵＭＴＳ）１０の非限定的な例の環境下で説明される。雲形１２として示されている代表的な接続指向の外部コアネットワークは、例えば、公衆交換電話ネットワーク（ＰＳＴＮ）と統合型サービスデジタルネットワーク（ＩＳＤＮ）との少なくとものいずれかで良い。雲形１４として示されている代表的な非接続指向の外部コアネットワークは、例えば、インターネットでも良い。両方のコアネットワークはそれらが対応するサービスノード１６に接続される。ＰＳＴＮ／ＩＳＤＮの接続指向型ネットワーク１２は回路交換サービスを提供する移動体交換センタ（ＭＳＣ）ノード１８として示されている接続指向型のサービスノードに接続される。インターネットのような非接続指向型のネットワーク１４は、しばしば、サービスを行なうＧＰＲＳサービスノード（ＳＧＳＮ）として言及されるパケット交換型のサービスを提供するためにあつらえられた汎用パケット無線サービス（ＧＰＲＳ）ノード２０に接続される。
【００３５】
コアネットワークサービスノード１８と２０の夫々は、Ｉｕインタフェースとして言及されている無線アクセスネットワーク（ＲＡＮ）インタフェースによりＵＭＴＳの地上無線アクセス網（ＵＴＲＡＮ）２４に接続している。ＵＴＲＡＮ２４は１つ以上の無線ネットワーク制御局（ＲＮＣ）２６を含んでいる。説明を単純にするために、図１のＵＴＲＡＮ２４には２つだけのＲＮＣノード、特に、サービスを行なう無線ネットワーク制御局（ＳＲＮＣ）２６1とドリフト無線ネットワーク制御局（ＤＲＮＣ）２６2とが示されている。各ＲＮＣ２６は複数の基地局（ＢＳ）２８に接続されている。例えば、再び説明を簡単にするために、２つの基地局ノードが各ＲＮＣ２６に接続されているように示されている。この点について、ＳＲＮＣ２６1は基地局２８1-1と基地局２８1-2にサービスを行なう一方、ＳＲＮＣ２６2は基地局２８2-1と基地局２８2-2にサービスを行なう。異なる数の基地局が各ＲＮＣによりサービスを受け、ＲＮＣは同じ数の基地局にサービスを行なう必要はないことが認識される。さらにその上、図１はＲＮＣがＩｕｒインタフェースによりＵＴＲＡＮ２４において１つ以上の別のＲＮＣに接続されることを示している。
【００３６】
図示された実施形態において、各基地局２８は１つのセルにサービスを行なうものとして示されている。各セルは各基地局を囲む円によって表現されている。しかしながら、基地局は１個以上のセルに対して空中インタフェースにより通信を行なうためにサービスを行っても良いことが当業者には認識されるであろう。例えば、２つのセルが同じ基地局のサイトに位置する資源を用いても良い。
【００３７】
本発明では、図１に示された時点で、ユーザ機器ユニット（ＵＥ）３０のようなユーザ機器ユニット（ＵＥ）は、共通チャネルを利用しており、それ故に、時間的に任意の時点において、ただ１つ基地局（ＢＳ）２８と無線或いは空中インタフェース３２を介して通信をする。無線インタフェース３２とＩｕインタフェースとＩｕｂインタフェースとＩｕｒインタフェースの各々は、一点鎖線で示されている。図１で示された時点で、ユーザ機器ユニット（ＵＥ）３０は基地局２８2-1を介して共通チャネルを用いて登録される。基地局２８2-1によりサービスを受けるセルは、ドリフト無線ネットワーク制御局（ＤＲＮＣ）２６2のＤＲＮＳにある。
【００３８】
上述した転送チャネル、物理チャネル、及び論理チャネルは、図１のＵＭＴＳの地上無線アクセス網（ＵＴＲＡＮ）において利用され、そのチャネルには無線インタフェースによるＲＡＣＨ及びＦＡＣＨ共通転送チャネルを含んでいる。無線接続は、ＣＤＭＡ拡散コードを用いて割当てられた個々の無線チャネルを備えた広帯域符号分割多元接続（ＷＣＤＭＡ）に基づくのが好ましい。もちろん、他の接続方法が採用されても良い。ＷＣＤＭＡはマルチメディアサービスと他の高速送信要求とダイバーシティハンドオフとＲＡＫＥ受信機のような耐性の強い特徴のための広帯域を備え、高品質を保証している。各ユーザ移動局或いは機器ユニット（ＵＥ）３０はそれ自身のスクランブルコードが割当てられ、基地局２８が特定のユーザ機器ユニット（ＵＥ）からの伝送を識別するとともに、ユーザ機器ユニット（ＵＥ）がそのユーザ機器ユニット（ＵＥ）に対して意図された基地局からの伝送を同じ領域に存在する他の全ての送信と雑音とから識別する。
【００３９】
ユーザ機器ユニット（ＵＥ）は、特定の方向に十分に遠くに移動して、そのユーザ機器ユニット（ＵＥ）が以前には留まったことのないＤＲＮＳの別のセルで登録するかもしれない。図２はそのような状態を示し、その状態で、ユーザ機器ユニット（ＵＥ）は今、基地局２８2-2によりサービスを受けるセルで登録することを求めている。基地局２８2-2によりサービスを受けるセルは、基地局２８1-2のセルのように、ドリフト無線ネットワーク制御局（ＤＲＮＣ）２６2のＤＲＮＳの中にある。
【００４０】
共通チャネルを利用するユーザ機器ユニット（ＵＥ）が、そのユーザ機器ユニット（ＵＥ）が未だに留まったことのないドリフト無線ネットワーク制御局（ＤＲＮＣ）２６2によって制御される新しいセルで登録するときにはいつでも、ドリフト無線ネットワーク制御局（ＤＲＮＣ）２６2は資源割当て機能を実行してその新しいセルのために無線ネットワーク資源を割当てなければならない。図３は、ドリフト無線ネットワーク制御局（ＤＲＮＣ）２６2により実行される資源割当機能３００の例に関連して実行されるある基本的な事象、ステップ、或いは動作とともに、サービスを行う無線ネットワーク制御局（ＳＲＮＣ）２６1において無線接続管理機能３０２によって実行される相関のある動作とを示している。
【００４１】
図３は、事象３Ｄ−１として、ユーザ機器ユニット（ＵＥ）３０がドリフト無線ネットワーク制御局（ＤＲＮＣ）２６2により制御される新しいセルで登録することを求めているという指示を取得する資源割当機能３００を示している。その新しいセルは最初のものであり、従って、そのユーザ機器ユニット（ＵＥ）３０が登録することを求めているドリフト無線ネットワーク制御局（ＤＲＮＣ）２６2により制御されるただ１つのセルであるか、或いは、ユーザ機器ユニット（ＵＥ）３０の登録がドリフト無線ネットワーク制御局（ＤＲＮＣ）２６2により制御される１つのセルに関して既に発生しているなら、さらなるセルである。そのような指示の受信時、資源割当機能３００は、事象３Ｄ−２として、ユーザ機器ユニット（ＵＥ）３０への無線接続のための可能性のある新しいセルのために用いられる資源の割当てを開始する。事象３Ｄ−２における資源割当は典型的には最小限で準備的なものであり、新しいセルにおける最初のアクセスの場合には、２〜３個の識別子の割当てに関与する。
【００４２】
事象３Ｄ−１に関して、資源割当機能３００がユーザ機器ユニット（ＵＥ）３０がドリフト無線ネットワーク制御局（ＤＲＮＣ）２６2により制御される新しいセルでの登録を試みているという指示を取得できる１つの方法の例は、ドリフト無線ネットワーク制御局（ＤＲＮＣ）２６2が、ユーザ機器ユニット（ＵＥ）が以前には用いていないセルを介して無線資源制御（ＲＲＣ）プロトコルメッセージを中継することに関与することである。そのようなＲＲＣプロトコルメッセージの一例は、ＲＲＣ  ＣＥＬＬ−ＵＰＤＡＴＥメッセージである。ＲＲＣメッセージはサービスを行う無線ネットワーク制御局（ＳＲＮＣ）において終点となるが、ドリフト無線ネットワーク制御局（ＤＲＮＣ）はそれが新しいセルにおけるユーザ機器ユニット（ＵＥ）からの最初のメッセージであることを確認できる。
【００４３】
事象３Ｄ−３として、資源割当機能３００は、共通転送チャネル資源初期化手順の開始（そして、それ故に実行）が、例えば、ユーザ機器ユニット（ＵＥ）３０との無線接続によって利用される新しいセルに関して、必要とされるかどうかを判断する。もし、その新しいセルが最初の、従って、ユーザ機器ユニット（ＵＥ）３０が登録することを求めたドリフト無線ネットワーク制御局（ＤＲＮＣ）２６2により制御されるただ１つのセルであるなら、共通転送チャネル資源初期化手順の開始と実行が必要とされる。
【００４４】
もし、ユーザ機器ユニット（ＵＥ）３０の登録が既に無線ネットワーク制御局（ＤＲＮＣ）２６2により制御される１つのセルに関して発生したのなら（例えば、ドリフト無線ネットワーク制御局（ＤＲＮＣ）２６2は既に無線接続に関与している）、事象３Ｄ−３の決定は、例えば、新しいセル（ユーザ機器ユニット（ＵＥ）が移動して入っていく）に関する資源が異なる転送ブロック（ＴＢ）サイズ或いは異なるフロー制御情報（無線接続に既に関与したＤＲＮＳのセルについてのＴＢサイズ或いはフロー制御情報とは反対に）を必要とするかどうかなどの、上述した事柄を含む考慮検討に基づく。例えば、多くの場合、ＤＲＮＳにおけるＳ−ＣＣＰＣＨのいくつか或いは全ては、同じ転送ブロック（ＴＢ）サイズ、例えば、同じ長さ制限や同じフロー制御情報で構成される。そのような場合、もし、ユーザ機器ユニット（ＵＥ）３０がＤＲＮＳの第１のセルからそのＤＲＮＳの第２のセルに移動し、そして、第１のセルと第２のセルの両方が同じ転送ブロック（ＴＢ）サイズをもち、同じフロー制御の考慮があるなら、サポートされる転送ブロック（ＴＢ）サイズについての情報或いはフロー制御情報を更新する理由はない。事象３Ｄ−３において、共通転送チャネル資源初期化手順の開始がドリフトＲＮＣ（ＤＲＮＣ）の観点からすれば必要ではないと判断されるならば、事象３Ｄ−３の後には事象３Ｄ−４が続く。事象３Ｄ−４において、資源割当機能３００が予約された資源を新しいセルへと移動させ、同じ転送ブロック（ＴＢ）サイズが用いられることを保証する。さもなければ、事象３Ｄ−３の後には事象３Ｄ−５が続く。
【００４５】
この場合がそうであるかもしれないが事象３Ｄ−３或いは事象３Ｄ−４に続く資源割当機能３００の事象３Ｄ−５は、ドリフト無線ネットワーク制御局（ＤＲＮＣ）２６1からサービスを行う無線ネットワーク制御局（ＳＲＮＣ）２６2に送信されるシグナリング・メッセージの準備について描いている。本発明に従えば、事象３Ｄ−５において資源割当機能３００により準備されるシグナリング・メッセージは、フィールド、フラグ、或いはサービスを行う無線ネットワーク制御局（ＳＲＮＣ）２６2に事象３Ｄ−３において判断したようにドリフト無線ネットワーク制御局（ＤＲＮＣ）２６2の観点からすれば共通転送チャネル資源初期化手順の開始が必要であるかどうかを通知する情報の要素を含む。
【００４６】
本発明の限定的ではない実施形の１つの例として、事象３Ｄ−５のように準備され送信される特定のシグナリング・メッセージは、ＲＮＳＡＰシグナリング・メッセージ、特に、ＲＮＳＡＰ  ＵＬ  ＳＩＧＮＡＬＩＮＧ  ＴＲＡＮＳＦＥＲ  ＩＮＤＩＣＡＴＩＯＮ  ＭＥＳＳＡＧＥで良い。そのＲＮＳＡＰ  ＵＬ  ＳＩＧＮＡＬＩＮＧ  ＴＲＡＮＳＦＥＲ  ＩＮＤＩＣＡＴＩＯＮ  ＭＥＳＳＡＧＥが用いられて、ユーザ機器ユニット（ＵＥ）３０によりＵＴＲＡＮに送信されるメッセージ、例えば、上述のＲＲＣプロトコルメッセージを、このＲＲＣプロトコルメッセージが無線インタフェースにより特定のチャネルで送信されるときに、転送する。ＩｕｒインタフェースによるＲＮＳＡＰ  ＵＬ  ＳＩＧＮＡＬＩＮＧ  ＴＲＡＮＳＦＥＲ  ＩＮＤＩＣＡＴＩＯＮ  ＭＥＳＳＡＧＥの実際の送信は、図３に事象３Ｉｕｒ−１として描かれている。
【００４７】
従って、実施形の例では、フィールド、フラグ、或いは情報要素は、ドリフト無線ネットワーク制御局（ＤＲＮＣ）２６2の観点から、ＲＮＳＡＰ  ＵＬ  ＳＩＧＮＡＬＩＮＧ  ＴＲＡＮＳＦＥＲ  ＩＮＤＩＣＡＴＩＯＮ  ＭＥＳＳＡＧＥがＲＲＣプロトコルメッセージを含む特定のユーザ機器ユニット（ＵＥ）について共通転送チャネル資源初期化手順を実行する必要があるかどうかを示す値をもっている。例えば、もし共通転送チャネル資源初期化手順を開始する必要が存在するなら、そのようなフラグが設定され、或いは、もし共通転送チャネル資源初期化手順を開始する必要が（ドリフト無線ネットワーク制御局（ＤＲＮＣ）２６2の観点から）ないのであれば、そのフラグはクリアされる。
【００４８】
資源割当機能３００に関連した事象を示すことに加えて、図３はさらに、サービスを行う無線ネットワーク制御局（ＳＲＮＣ）２６1の無線接続管理機能３０２によって実行されるある基本的で例示的な事象とアクティビティの例を示している。無線接続管理機能３０２は、ドリフト無線ネットワーク制御局（ＤＲＮＣ）によって制御される新しいセルでの登録と、その新しいセル（例えば、ＲＲＣ  ＣＥＬＬ−ＵＰＤＡＴＥメッセージの主体であったセル）においてＦＡＣＨ転送チャネルを使用するＵＴＲＡＮによる実施可能性とに関係したアクティビティとを実行する。この点について、図３では、事象３Ｓ−１として、ＲＮＳＡＰ  ＵＬ  ＳＩＧＮＡＬＩＮＧ  ＴＲＡＮＳＦＥＲ  ＩＮＤＩＣＡＴＩＯＮ  ＭＥＳＳＡＧＥから、ドリフト無線ネットワーク制御局（ＤＲＮＣ）２６2が共通転送チャネル資源初期化手順の開始を必要とするかどうかを確認することが示されている。この判別は、事象３Ｄ−３に関して前に説明したように、この目的に割当てられたフィールド、フラグ、或いは情報要素の内容を解析することによりなされる。
【００４９】
もし、ドリフト無線ネットワーク制御局（ＤＲＮＣ）２６2の観点から、共通転送チャネル資源初期化手順の開始を必要とはしないことをサービスを行う無線ネットワーク制御局（ＳＲＮＣ）２６1が確認したなら、事象３Ｓ−２として、サービスを行う無線ネットワーク制御局（ＳＲＮＣ）２６1は、サービスを行う無線ネットワーク制御局（ＳＲＮＣ）２６1それ自身が共通転送チャネル資源初期化手順の開始が必要である或いは当を得ていると思われるかどうかを判断する機会をもつ。事象３Ｓ−２についての判断の例は、新しい転送ベアラがＩｕｒインタフェースによって必要とされると判断するサービスを行う無線ネットワーク制御局（ＳＲＮＣ）２６1を含むことができる。この点について、サービスを行う無線ネットワーク制御局（ＳＲＮＣ）２６1は、それが管理を行う種々の転送ベアラについての負荷状態に注意している。それで、たとえドリフト無線ネットワーク制御局（ＤＲＮＣ）２６2が共通転送チャネル資源初期化手順の開始が必ずしも必要ではないことを示唆したとしても、もしサービスを行う無線ネットワーク制御局（ＳＲＮＣ）２６1が新しい転送ベアラを用いることを望むなら、サービスを行う無線ネットワーク制御局（ＳＲＮＣ）２６1は、ドリフト無線ネットワーク制御局（ＤＲＮＣ）２６2の資源割当機能３００から必要なパラメータを得るために共通転送チャネル資源初期化手順を開始するであろう。
【００５０】
事象３Ｓ−１或いは事象３Ｓ−２により、共通転送チャネル資源初期化手順の開始が必要或いは望ましいと判断されたなら、ＳＲＮＣは事象３Ｓ−３により示唆されているように共通転送チャネル資源初期化手順を開始する。その共通転送チャネル資源初期化手順とは、サービスを行う無線ネットワーク制御局（ＳＲＮＣ）とドリフト無線ネットワーク制御局（ＤＲＮＣ）の両方を関与させ、従って、図３では単に２点鎖線２００によって枠で囲まれるようにして描かれているＲＮＳＡＰである。共通転送チャネル資源初期化手順の詳細は、ＵＴＲＡＮ技術を良く知るものによって理解されていることであり、それ故にここでは説明しない。共通転送チャネル資源初期化手順の開始と実行には、サービスを行う無線ネットワーク制御局（ＳＲＮＣ）２６1とドリフト無線ネットワーク制御局（ＤＲＮＣ）２６2との間でのＩｕｒインタフェースによる２つのシグナリングメッセージの送信を関与させる。これら２つのシグナリングメッセージはＣＯＭＭＯＮ  ＴＲＣＨ  ＲＥＳＯＵＲＣＥ  ＲＥＱＵＥＳＴ  ＭＥＳＳＡＧＥとＣＯＭＭＯＮ  ＴＲＣＨ  ＲＥＳＯＵＲＣＥ  ＲＥＳＰＯＮＳＥ  ＭＥＳＳＡＧＥである。これら２つのメッセージ送信は、図３に夫々、事象３Ｉｕｒ−２と３Ｉｕｒ−３として図示されている。
【００５１】
サービスを行う無線ネットワーク制御局（ＳＲＮＣ）２６1が共通転送チャネル資源初期化手順を開始することが必要であるとき、ドリフト無線ネットワーク制御局（ＤＲＮＣ）２６2によって実行される資源割当機能３００は、図３において事象３Ｄ−６により描かれているように、ＤＲＮＳ共通転送チャネル資源初期化アクティビティを実行する。そのＤＲＮＳ共通転送チャネル資源初期化アクティビティの一部として、ドリフト無線ネットワーク制御局（ＤＲＮＣ）２６2は資源を予約しておき、事象３Ｓ−３における共通転送チャネル資源初期化手順の実行のためにサービスを行う無線ネットワーク制御局（ＤＲＮＣ）２６1によって必要とされる情報を（事象３Ｉｕｒ−３のＣＯＭＭＯＮ  ＴＲＣＨ  ＲＥＳＯＵＲＣＥ  ＲＥＳＰＯＮＳＥ  ＭＥＳＳＡＧＥにおいて）送信する。資源予約に関する限り、事象３Ｄ−５の一部として、ドリフト無線ネットワーク制御局（ＤＲＮＣ）２６2は、ユーザ機器ユニット（ＵＥ）３０のための新しいセルにおいて、ＲＡＣＨ／ＦＡＣＨチャネルでのいくらかの能力を予約しておき、例えば、ＤＲＮＣにおけるバッファ空間を割当て、ＳＲＮＣにそのクレジットを割当てる。事象３Ｄ−６の一部としてサービスを行う無線ネットワーク制御局（ＳＲＮＣ）に送信される情報は、サポートされる転送ブロック（ＴＢ）サイズとフロー制御情報に関した前述の情報を含む。
【００５２】
事象３Ｓ−１と事象３Ｓ−２との両方で、共通転送チャネル資源初期化手順の開始が必要とされないか或いは望まれるかについて判断される場合、そして、その共通転送チャネル資源初期化手順が必要とされるか或いは望まれる状態においてそれが実行された後、事象３Ｓ−４が結局実行される。事象３Ｓ−４はドリフト無線ネットワーク制御局（ＤＲＮＣ）２６2への送信についてＲＮＳＡＰ  ＤＬ  ＳＩＧＮＡＬＩＮＧ  ＴＲＡＮＳＦＥＲ  ＩＮＤＩＣＡＴＩＯＮ  ＭＥＳＳＡＧＥを準備するサービスを行う無線ネットワーク制御局（ＤＲＮＣ）２６1を関与させる。ＲＮＳＡＰ  ＤＬ  ＳＩＧＮＡＬＩＮＧ  ＴＲＡＮＳＦＥＲ  ＩＮＤＩＣＡＴＩＯＮ  ＭＥＳＳＡＧＥの送信は、図３において、事象３Ｉｕｒ−４として描かれている。事象３Ｄ−７として、ドリフト無線ネットワーク制御局（ＤＲＮＣ）２６2によって実行される資源割当機能３００は、通例の方法で、ＲＮＳＡＰ  ＤＬ  ＳＩＧＮＡＬＩＮＧ  ＴＲＡＮＳＦＥＲ  ＩＮＤＩＣＡＴＩＯＮ  ＭＥＳＳＡＧＥを待ち合わせ処理する。例えば、ＲＮＳＡＰ  ＤＬ  ＳＩＧＮＡＬＩＮＧ  ＴＲＡＮＳＦＥＲ  ＩＮＤＩＣＡＴＩＯＮ  ＭＥＳＳＡＧＥは、無線インタフェースによりユーザ機器ユニット（ＵＥ）３０に送信されるＲＲＣ  ＣＥＬＬ−ＵＰＤＡＴＥ  ＣＯＮＦＩＲＭメッセージを含むことができる。
【００５３】
従って、上述の本発明の例示的な実施形態において、ドリフト無線ネットワーク制御局（ＤＲＮＣ）２６2は、ユーザ機器ユニット（ＵＥ）３０がそのドリフト無線ネットワーク制御局（ＤＲＮＣ）２６2により制御される新しいセルにおいて登録を行うとき、そのドリフト無線ネットワーク制御局（ＤＲＮＣ）２６2が共通転送チャネル資源初期化手順の開始を必要とするかどうかを、サービスを行う無線ネットワーク制御局（ＳＲＮＣ）２６1に対して信号で発信する。もし、そのような信号の発信がドリフト無線ネットワーク制御局（ＤＲＮＣ）２６2は共通転送チャネル資源初期化手順の開始を必要としないことを示すなら、その共通転送資源初期化手順はドリフト無線ネットワーク制御局（ＤＲＮＣ）のためだけに実行される必要はない。しかしながら、自分自身の検討から、サービスを行う無線ネットワーク制御局（ＳＲＮＣ）２６1はそれにもかかわらず、その共通転送チャネル資源初期化手順を開始することができる。従って、その共通転送チャネル資源初期化手順の開始がドリフト無線ネットワーク制御局（ＤＲＮＣ）の観点から必ずしも必要ではない場面において、サービスを行う無線ネットワーク制御局（ＳＲＮＣ）は随意に、自分自身の都合の良い検討から共通転送チャネル資源初期化手順を開始することができる。
【００５４】
従って、本発明に従えば、共通転送チャネル資源初期化手順の開始は必須のものではなく、むしろ随意的なものである。このため、共通転送チャネル資源初期化手順（図３には線２００により描かれている）と夫々事象３Ｉｕｒ−２と３Ｉｕｒ−３として示されているＣＯＭＭＯＮ  ＴＲＣＨ  ＲＥＳＯＵＲＣＥ  ＲＥＱＵＥＳＴ  ＭＥＳＳＡＧＥとＣＯＭＭＯＮ  ＴＲＣＨ  ＲＥＳＯＵＲＣＥ  ＲＥＳＰＯＮＳＥ  ＭＥＳＳＡＧＥの生成／送信とは、図３において破線によって表現されている。これとは反対に、従来技術においては、図３に示されている全てのメッセージが必要とされる。図３における４つのＩｕｒシグナリングメッセージ全てを指定する従来技術のやり方と比較して、本発明ではそのようなＩｕｒシグナリングが５０％ほど減少する結果になる。
【００５５】
１つの実施形の例では、本発明は、ドリフト無線ネットワーク制御局（ＤＲＮＣ）の観点からして、共通転送チャネル資源初期化手順のサービスを行う無線ネットワーク制御局（ＳＲＮＣ）による実施が必要とされるかどうかを示すＵＬ  ＳＩＧＮＡＬＩＮＧ  ＴＲＡＮＳＦＥＲ  ＩＮＤＩＣＡＴＩＯＮ  ＭＥＳＳＡＧＥのような存在するＲＮＳＡＰシグナリングメッセージにおける指示を含む。そのようなタイプの実施形では、本発明は何か新しいシグナリングには関与しない。さらにその上、ドリフト無線ネットワーク制御局（ＤＲＮＣ）は、ユーザ機器ユニット（ＵＥ）が新しいセルへ移動する時に、（ドリフト無線ネットワーク制御局（ＤＲＮＣ）の観点からして）共通転送チャネル資源初期化手順が実行されねばならないかどうかを、サービスを行う無線ネットワーク制御局（ＳＲＮＣ）に対して示すことが可能になる。
【００５６】
クレジットのある状態を扱うことは、サービスを行うＲＮＣ（ＳＲＮＣ）が事象３Ｓ−２において共通転送チャネル資源初期化手順の開始が例えば新しい転送ベアラについて必要とされると判断するときに生じるシナリオのような、上述の１つ以上のシナリオにおける問題となるかもしれない。当業者であれば、そのような問題を解決するのにいくつかの方法があるかもしれないことを認識するであろう。例えば、１つの方法は、事象３Ｄ−２から結果として生じる既に割当てられたクレジットを用いて続けることである。別の方法はフロー制御機構を再初期化することである。
【００５７】
従って、本発明は、ユーザ機器ユニット（ＵＥ）が、無線インタフェースによりＲＡＣＨ／ＦＡＣＨ共通転送チャネルを用いる一方で、ドリフト無線ネットワーク制御局（ＤＲＮＣ）の制御下にある１つのセルからドリフト無線ネットワーク制御局（ＤＲＮＣ）の制御下にある別のセルへと移動するとき、サービスを行う無線ネットワーク制御局（ＳＲＮＣ）とドリフト無線ネットワーク制御局（ＤＲＮＣ）との間で実行されるシグナリングを減少させる。本発明により、ユーザ機器ユニット（ＵＥ）が（ＲＡＣＨ或いはＣＰＣＨと結合して利用される）ＦＡＣＨを用いている一方で、ドリフト無線ネットワーク制御局（ＤＲＮＣ）の制御下でセル変更毎に共通転送チャネル資源初期化手順を実行する必要を除去することにより、サービスを行う無線ネットワーク制御局（ＳＲＮＣ）とドリフト無線ネットワーク制御局（ＤＲＮＣ）との間でのシグナリング量を大きく減少（最大で５０％ほど）させることが可能になる。
【００５８】
本発明を最も実際的で好適な実施形態であると現在考えられているものに関連して説明したが、本発明は開示された実施形態によって限定されるものではなく、それとは反対に、添付した請求の範囲の精神と範囲の中に含まれる種々の変形例や同等の構成を含むことが意図されていることを理解すべきである。
【図面の簡単な説明】
【００５９】
【図１】本発明が都合良く採用される移動体通信システムの例を示す図である。
【図２】ユーザ機器ユニット（ＵＥ）局、無線ネットワーク制御局、及び基地局を含むＵＭＴＳ地上無線アクセス網の単純化された機能ブロック図である。
【図３】ユーザ機器ユニット（ＵＥ）がドリフト無線ネットワーク制御局（ＤＲＮＣ）により制御されるセルへと移動していくことに関し、ドリフト無線ネットワーク制御局（ＤＲＮＣ）とサービスを行う無線ネットワーク制御局（ＳＲＮＣ）とにより実行される種々の事象を示す図である。
【図１】
2004523170.tif 000003
【図２】
2004523170.tif 000004
【図３】
2004523170.tif 000005
【国際公開パンフレット】
2004523170.tif 000006
2004523170.tif 000007
2004523170.tif 000008
2004523170.tif 000009
2004523170.tif 000010
2004523170.tif 000011
2004523170.tif 000012
2004523170.tif 000013
2004523170.tif 000014
2004523170.tif 000015
2004523170.tif 000016
2004523170.tif 000017
2004523170.tif 000018
2004523170.tif 000019
2004523170.tif 000020
2004523170.tif 000021
2004523170.tif 000022
2004523170.tif 000023
2004523170.tif 000024
2004523170.tif 000025
2004523170.tif 000026
2004523170.tif 000027
2004523170.tif 000028
2004523170.tif 000029
2004523170.tif 000030
2004523170.tif 000031
2004523170.tif 000032
2004523170.tif 000033
2004523170.tif 000034
【国際調査報告】
2004523170.tif 000035
2004523170.tif 000036